(57)【特許請求の範囲】
【請求項１】
トリス（ヒドロキシメチル）アミノメタン、２−アミノ−１，３−プロパンジオール、２−アミノ−２−メチル−１，３−プロパンジオール、２−アミノ−２−エチル−１，３−プロパンジオール、２−アミノ−２−ヒドロキシメチル−１，３−プロパンジオール、及び２−アミノ−２−ヒドロキシエチル−１，３−プロパンジオール、並びにこれらの塩から選ばれる１種以上のポリヒドロキシアミン化合物及び／又はその塩（ａ）、２０℃の水に対する溶解度が１質量％以下であり、２０℃での蒸気圧が１００ｍｍＨｇ以上であり、且つ融点が５０℃以下である、下記（ｂ１）〜（ｂ３）から選ばれる１種以上の油剤（ｂ）、界面活性剤（ｃ）、並びに水を含有するしわ取り消臭剤組成物。
（ｂ１）下記一般式（ｂ１）で表される化合物
Ｒ5−Ｏ−［（ＰＯ）m／（ＥＯ）n］−Ｈ      （ｂ１）
〔式中、Ｒ5は炭素数１２〜２０の炭化水素基であり、ＰＯはＣ3Ｈ6Ｏを示し、ＥＯはＣ2Ｈ4Ｏを示し、ｍ及びｎはそれぞれ平均付加モル数を示し、ｍは３〜６０、ｎは１〜１０の数であり、ｍ／ｎは３〜１２であり、（ＰＯ）と（ＥＯ）はランダム付加でもブロック付加でもいずれでもよく、（ＰＯ）と（ＥＯ）の付加順序は問わない。〕
（ｂ２）下記一般式（ｂ２）で表される化合物
Ｈ−Ｏ−［（ＰＯ）p／（ＥＯ）q］−Ｈ      （ｂ２）
〔式中、ＰＯはＣ3Ｈ6Ｏを示し、ＥＯはＣ2Ｈ4Ｏを示し、ｐ及びｑはそれぞれ平均付加モル数を示し、ｐは１０〜１００、ｑは０〜３０の数であり、（ＰＯ）と（ＥＯ）はランダム付加でもブロック付加でもいずれでもよく、（ＰＯ）と（ＥＯ）の付加順序は問わない。〕
（ｂ３）下記一般式（ｂ３）で表される化合物
【化１】
0004813212.tif 000009
〔式中、式中、ｘ及びｙはそれぞれ平均付加モル数を示し、ｐは１０〜１００、ｑは０〜３０の数であり、（Ｃ3Ｈ6Ｏ）及び（Ｃ2Ｈ4Ｏ）はランダム付加でもブロック付加でもいずれでもよい。〕
【請求項２】
界面活性剤（ｃ）が、下記一般式（ｃ１）で表される化合物である請求項１に記載のしわ取り消臭剤組成物。
Ｒ10−Ｚ−［（ＥＯ）a／（ＰＯ）b］−Ｒ11        （ｃ１）
〔式（ｃ１）中、Ｒ10は、炭素数１０〜２２のアルキル基又はアルケニル基であり、Ｒ11は、水素原子、又は炭素数１〜３のアルキル基であり、Ｚは−Ｏ−又は−ＣＯＯ−のいずれかであり、ＥＯは、オキシエチレン基であり、ＰＯはオキシプロピレン基であり、（ＥＯ）と（ＰＯ）はランダム付加でもブロック付加でもいずれでもよく、（ＥＯ）と（ＰＯ）の付加順序は問わない。ａ及びｂは平均付加モル数であり、ａ＋ｂの合計は５〜１５の数であり、ｂは２以下の数である。〕
【請求項３】
一般式（ａ１）で表されるポリヒドロキシアミン化合物及び／又はその塩（ａ）の含有量が０．０１〜１０質量％であり、油剤（ｂ）の含有量が０．０１〜１０質量％であり、界面活性剤（ｃ）の含有量が０．０１〜１０質量％である、請求項１又は２に記載のしわ取り消臭剤組成物。
【請求項４】
液状である、請求項１〜３のいずれかに記載のしわ取り消臭剤組成物。
【請求項５】
請求項１〜４のいずれかに記載のしわ取り消臭剤組成物を、噴霧により繊維製品に付着させ、対象物の臭い及びしわを低減させるしわ取り消臭方法。
【発明の詳細な説明】
【技術分野】
【０００１】
本発明は、しわ取り消臭剤組成物、及びしわ取り消臭方法に関する。
【背景技術】
【０００２】
洗濯習慣の変化により、肌に直接触れない衣類は着てすぐに洗わない習慣が増えているが、その一方で洗わない衣類のしわや匂いを気にしており、衣類のしわ除去性能や様々な匂い（複合臭）に対する消臭性能が求められている。これまでに、特定の悪臭成分に対する消臭技術は知られているが、複合臭に対して効果的なものは少ない。
【０００３】
また、スーツ等のドライクリーニング衣類は家庭での水洗いが困難であり、それらのしわ取り方法については、一般にアイロンがけやスチームプレス等の熱処理を行う方法があるが、手間がかかる作業である上、風合いを損ねる場合がある。これまでに、熱処理を行わずに衣類のしわを伸ばす技術が開示されているが、しわ除去効果は不十分である。
【０００４】
例えば、特許文献１には、陽イオン性界面活性剤又は両性界面活性剤とキレート剤を併用することにより，汗臭やタバコ臭を消臭する液体消臭剤が開示され、特許文献２には，香料等の消臭基剤と陽イオン界面活性剤と特定の溶剤を併用することにより，汗臭を消臭する液体消臭剤が開示されている。しかしながら、これらの液体消臭剤は、アルデヒド類等に対する消臭性能は充分ではない。
【０００５】
特許文献３には、植物からの抽出物を主成分とする消臭基材、香料、エタノール及び界面活性剤を併用することにより、腐敗臭を抑制する消臭剤組成物が開示され、特許文献４には、ベタイン型両性化合物、非イオン性界面活性剤、及び陰イオン界面活性剤からなる処理剤で処理することにより、アンモニア臭等を消臭しうる消臭性繊維が開示されている。しかしながら、これらも汗臭やアルデヒド類に対する消臭性能は充分ではない。
【０００６】
特許文献５には、トリエタノールアミンやトリス（ヒドロキシメチル）アミノメタン等から選ばれる１種以上を塩として含む陰イオン界面活性剤により、低級脂肪酸、アミン類が共存する複合臭を抑制できることが開示されている。しかしながら、陰イオン界面活性剤のアミン塩はアルデヒド類に対する効果が充分でなく、水に対する溶解性が悪いものもあるため、消臭剤組成物を調製するには適さない。
【０００７】
特許文献６には、有機二塩基酸又はその塩により、酢酸、イソ吉草酸等の低級脂肪酸類やアンモニア、トリメチルアミン等のアミン類等を消臭できることが開示されているが、有機二塩基酸又はその塩は、アルデヒド類に対する消臭効果が充分でない。
【０００８】
特許文献７には、中高年以降に認められる加齢臭の原因物質の一つとされるノナナール等の不飽和アルデヒドの消臭について、エタノールアミンが効果的であることが開示されている。しかしながら、汗臭等に対する効果が不明であり、またエタノールアミンは刺激性があり、人体に触れる可能性のある形態での使用には適さない。
【０００９】
また、特許文献８にはヘキシレングリコールやイソプレングリコール等の特定の水溶性溶剤と水を組み合わせた組成物を衣類のしわ部にスプレーした後、放置するだけでしわ部を取り除く技術が記載されているが、この方法では衣類についた軽いしわは取り除けるが、深いしわを完全に除去するのは困難である。特許文献９には特定のアルコール、グリセリン、非イオン性界面活性剤と水から成る組成物を布帛にスプレー噴霧した後で吊り下げて自然乾燥するか、アイロンがけを行うことでしわを除去する技術が記載されているが、自然乾燥だけでは十分にしわを除去することができず、またアイロンがけはしわ取りには非常に効果的であるが、手間が掛かる作業である上、風合いを損ねる可能性がある。特許文献１０にはポリエーテル変性シリコーン、４級アンモニウム型抗菌剤と植物から抽出した消臭基剤を併用することによる消臭（たばこ臭など）抗菌しわ除去剤に関する技術が記載されているが、複合臭に対する消臭性能は十分ではない。
【００１０】
更に、特許文献１１〜１３には、消臭やしわ取りに用いる組成物に、任意に有効量の緩衝剤を使用できることが記載されているが、消臭効果あるいはしわ取り効果については更なる向上が望まれる上、これら両方に優れた効果を得る点については言及されていない。
【００１１】
かかる状況から、特に汗臭及びアルデヒド類等に由来する複合臭を低減させることができ、かつアイロンがけやスチームプレス等の熱処理を行わなくても、風合いを損なうことなく繊維製品のしわを除去することができるしわ取り消臭剤組成物の開発が望まれていた。
【特許文献１】特開２００１−４０５８１号公報
【特許文献２】特開２００１−７０４２３号公報
【特許文献３】特開２００１−１７８８０６号公報
【特許文献４】特開２００４−１７６２２５号公報
【特許文献５】特開２００４−４９８８９号公報
【特許文献６】特開２００１−９５９０７号公報
【特許文献７】特開２００１−９７８３８号公報
【特許文献８】特開平１０−２５６６０号公報
【特許文献９】特開平１−６１７４号公報
【特許文献１０】特開２００３−９６６６７号公報
【特許文献１１】特表２００３−５３３５８８号公報
【特許文献１２】特表２００３−５３３５８９号公報
【特許文献１３】特表２００４−５００４９３号公報
【発明の開示】
【発明が解決しようとする課題】
【００１２】
本発明は、汗臭及びアルデヒド類等に由来する複合臭を低減させることができ、かつアイロンがけやスチームプレス等の熱処理を行わなくても、風合いを損なうことなく繊維製品のしわを除去することができるしわ取り消臭剤組成物、及びしわ取り消臭方法を提供することを課題とする。
【課題を解決するための手段】
【００１３】
本発明者らは、特定のポリヒドロキシアミン類が汗臭やアルデヒド類等に由来する複合臭の消臭に有効であり、また、特定の油剤と併用することによりアイロンがけやスチームプレス等の熱処理を行わなくても、風合いを損なうことなく繊維製品のしわを除去することができることを見出した。
【００１４】
本発明は、下記一般式（ａ１）で表されるポリヒドロキシアミン化合物及び／又はその塩（ａ）〔以下、（ａ）成分という〕、２０℃の水に対する溶解度が１質量％以下であり、２０℃での蒸気圧が１００ｍｍＨｇ以上であり、且つ融点が５０℃以下である油剤（ｂ）〔以下、（ｂ）成分という〕、並びに界面活性剤（ｃ）〔以下、（ｃ）成分という〕を含有するしわ取り消臭剤組成物に関する。
【００１５】
【化３】
0004813212.tif 000002
【００１６】
（式中、Ｒ1は、水素原子、炭素数１〜５のアルキル基、又は炭素数１〜５のヒドロキシアルキル基を表し、Ｒ2は、水素原子、炭素数１〜６のアルキル基、又は炭素数１〜５のヒドロキシアルキル基を表し、Ｒ3及びＲ4は、炭素数１〜５のアルキレン基を表す。Ｒ3及びＲ4は、同一でも異なっていてもよい。）
【００１７】
また、本発明は、上記本発明のしわ取り消臭剤組成物を、噴霧により繊維製品に付着させ、対象物の臭い及びしわを低減させるしわ取り消臭方法に関する。
【発明の効果】
【００１８】
本発明のしわ取り消臭剤組成物は、汗臭及びアルデヒド類等に由来する複合臭を消臭でき、且つアイロンがけやスチームプレス等の熱処理を行わなくても、風合いを損なうことなく繊維製品のしわを除去することができる。本発明の組成物は、液体組成物、特に水系組成物の調製も容易であり、スプレー用として好適な組成物を容易に提供できる。
【発明を実施するための最良の形態】
【００１９】
＜（ａ）成分＞
（ａ）成分は、上記一般式（ａ１）で表されるポリヒドロキシアミン化合物及び／又はその塩である。
【００２０】
一般式（ａ１）において、Ｒ1は、水素原子、炭素数１〜５のアルキル基、又は炭素数１〜５のヒドロキシアルキル基を表す。炭素数１〜５のアルキル基は、直鎖又は分岐鎖のいずれであってもよく、例えば、メチル基、エチル基、ｎ−プロピル基、イソプロピル基、各種ブチル基、各種ペンチル基が挙げられる。また、炭素数１〜５のヒドロキシアルキル基としては、ヒドロキシメチル基、２−ヒドロキシエチル基、２−ヒドロキシプロピル基、３−ヒドロキシプロピル基、２−ヒドロキシブチル基、３−ヒドロキシブチル基、４−ヒドロキシブチル基等が挙げられる。
【００２１】
Ｒ1は、消臭性能及び入手性の観点から、上記の中では水素原子、メチル基、エチル基、ヒドロキシメチル基、２−ヒドロキシエチル基が好ましく、特に水素原子、ヒドロキシメチル基、２−ヒドロキシエチル基が好ましい。
【００２２】
また、一般式（ａ１）のＲ2は、水素原子、炭素数１〜６のアルキル基、又は炭素数１〜５のヒドロキシアルキル基を表す。炭素数１〜６のアルキル基は、直鎖状、分岐鎖状、環状のいずれであってもよい。アルキル基の具体例としては、メチル基、エチル基、ｎ−プロピル基、イソプロピル基、各種ブチル基、各種ペンチル基、各種ヘキシル基、シクロペンチル基、シクロヘキシル基等が挙げられる。炭素数１〜５のヒドロキシアルキル基としては、上記Ｒ1で例示のものが挙げられる。
【００２３】
Ｒ2は、消臭性能及び入手性の観点から、上記の中では水素原子、炭素数１〜３のアルキル基、ヒドロキシエチル基が好ましく、特に水素原子が好ましい。
【００２４】
また、一般式（ａ１）のＲ3及びＲ4は、炭素数１〜５のアルキレン基を表す。Ｒ3及びＲ4は、同一でも異なっていてもよい。炭素数１〜５のアルキレン基としては、メチレン基、エチレン基、プロピレン基、ブチレン基が好ましく、特にメチレン基が好ましい。
【００２５】
（ａ）成分の具体例としては、例えば、トリス（ヒドロキシメチル）アミノメタン、２−アミノ−１，３−プロパンジオール、２−アミノ−２−メチル−１，３−プロパンジオール、２−アミノ−２−エチル−１，３−プロパンジオール、２−アミノ−２−ヒドロキシメチル−１，３−プロパンジオール、２−アミノ−２−ヒドロキシエチル−１，３−プロパンジオール、４−アミノ−４−ヒドロキシプロピル−１，７−ヘプタンジオール、２−（Ｎ−エチル）アミノ−１，３−プロパンジオール、２−（Ｎ−エチル）アミノ−２−ヒドロキシメチル−１，３−プロパンジオール、２−（Ｎ−デシル）アミノ−１，３−プロパンジオール、２−（Ｎ−デシル）アミノ−２−ヒドロキシメチル−１，３−プロパンジオール等、及びそれらと塩酸、硫酸、硝酸、リン酸、炭酸等との塩が挙げられる。
【００２６】
これらの中では、消臭性能等の観点から、トリス（ヒドロキシメチル）アミノメタン、２−アミノ−１，３−プロパンジオール、２−アミノ−２−メチル−１，３−プロパンジオール、２−アミノ−２−エチル−１，３−プロパンジオール、２−アミノ−２−ヒドロキシメチル−１，３−プロパンジオール、２−アミノ−２−ヒドロキシエチル−１，３−プロパンジオール及びそれらと塩酸等の酸との塩から選ばれる１種以上が特に好ましい。
【００２７】
一般式（ａ１）で表されるポリヒドロキシアミン化合物を塩酸等の塩として用いる場合は、塩基を添加することによりｐＨを調整することができる。用いることができる塩基としては、水酸化ナトリウム、水酸化カリウム、水酸化マグネシウム、水酸化カルシウム等の他、モノエタノールアミン、ジエタノールアミン、トリエタノールアミン、メチルエタノールアミン、ジメチルエタノールアミン等が挙げられる。これらの中では、水酸化ナトリウム、水酸化カリウムが好ましい。
【００２８】
（ａ）成分は、単独で又は２種以上を混合して用いることができる。なお、（ａ）成分は、常法により製造することができる。
【００２９】
＜（ｂ）成分＞
本発明の（ｂ）成分は、２０℃の水に対する溶解度が１質量％以下であり、２０℃での蒸気圧が１００ｍｍＨｇ以上であり、且つ融点が５０℃以下である油剤である。本発明の（ｂ）成分が、融点が５０℃以下であるということは、本発明の効果を発現する室温付近の温度領域で液状であり、蒸気圧が１００ｍｍＨｇ以上であるということは、揮発し難い物性を有し、本発明の組成物を付与した後、殆どは蒸発せず、液体状態であることを意味する。更に、２０℃の水に対する溶解度が１重量％以下であるということは、水に極めて難溶であり、その結果、（ｃ）成分の界面活性剤と水が共存することで、水和ゲルが効率的に形成されるもの考えられる。本発明者らは、このような水和ゲルを形成しうる組み合わせの組成物を衣類上に接触し、乾燥させることで、水和ゲルが形成し、衣類が湿潤時にも滑り、効率よくしわが除去できることを見出した。
【００３０】
本発明の（ｂ）成分としては、下記（ｂ１）〜（ｂ９）から選ばれる１種以上であることが好適である。なお、下記化合物において、ＰＯ（Ｃ3Ｈ6Ｏ）、ＥＯ（Ｃ2Ｈ4Ｏ）の平均付加モル数はＮＭＲにより求めることができる。
【００３１】
（ｂ１）下記一般式（ｂ１）で表される化合物〔以下、（ｂ１）成分という〕
Ｒ5−Ｙ−［（ＰＯ）m／（ＥＯ）n］−Ｈ      （ｂ１）
〔式中、Ｒ5は炭素数１０〜２２の炭化水素基であり、ＰＯはＣ3Ｈ6Ｏを示し、ＥＯはＣ2Ｈ4Ｏを示し、ｍ及びｎはそれぞれ平均付加モル数を示し、ｍは３〜１００、ｎは１〜１０の数であり、（ＰＯ）と（ＥＯ）はランダム付加でもブロック付加でもいずれでもよく、（ＰＯ）と（ＥＯ）の付加順序は問わない。Ｙは、−Ｏ−又は−ＣＯＯ−、−ＣＯＮＨ−又は−ＮＨＣＯ−のいずれかである。〕
【００３２】
（ｂ２）下記一般式（ｂ２）で表される化合物〔以下、（ｂ２）成分という〕
Ｈ−Ｏ−［（ＰＯ）p／（ＥＯ）q］−Ｈ      （ｂ２）
〔式中、ＰＯはＣ3Ｈ6Ｏを示し、ＥＯはＣ2Ｈ4Ｏを示し、ｐ及びｑはそれぞれ平均付加モル数を示し、ｐは１０〜１００、ｑは０〜３０の数であり、（ＰＯ）と（ＥＯ）はランダム付加でもブロック付加でもいずれでもよく、（ＰＯ）と（ＥＯ）の付加順序は問わない。〕
【００３３】
（ｂ３）下記一般式（ｂ３）で表される化合物〔以下、（ｂ３）成分という〕
【００３４】
【化４】
0004813212.tif 000003
【００３５】
〔式中、式中、ｐ及びｑはそれぞれ平均付加モル数を示し、ｐは１０〜１００、ｑは０〜３０の数であり、（Ｃ3Ｈ6Ｏ）及び（Ｃ2Ｈ4Ｏ）はランダム付加でもブロック付加でもいずれでもよい。〕
【００３６】
（ｂ４）分子量１００〜５００の脂肪酸〔以下、（ｂ４）成分という〕
【００３７】
（ｂ５）炭素数８〜２４の脂肪酸のトリ、ジ及びモノグリセライド〔以下、（ｂ５）成分という〕
【００３８】
（ｂ６）下記一般式（ｂ６）で表されるエステル化合物〔以下、（ｂ６）成分という〕
Ｒ6−ＣＯ−Ｏ−Ｒ7        （ｂ６）
〔式中、Ｒ6は炭素数８〜２０の飽和又は不飽和の直鎖もしくは分岐鎖の１価炭化水素基、Ｒ7は炭素数１〜２０の飽和又は不飽和の直鎖もしくは分岐鎖の１価炭化水素基である。〕
【００３９】
（ｂ７）下記一般式（ｂ７）で表されるエーテル化合物〔以下、（ｂ７）成分という〕
Ｒ8−Ｏ−Ｒ9              （ｂ７）
〔式中、Ｒ8及びＲ9はそれぞれ独立に炭素数４〜１８の飽和又は不飽和の直鎖もしくは分岐鎖の１価炭化水素基である。〕
【００４０】
（ｂ８）分子量１００〜５００の飽和又は不飽和の直鎖もしくは分岐鎖炭化水素〔以下、（ｂ８）成分という〕
【００４１】
（ｂ９）分子量１００〜３００の直鎖もしくは分岐鎖のアルコール〔以下、（ｂ９）成分という〕
【００４２】
（ｂ１）成分の一般式（ｂ１）において、Ｒ5は炭素数１０〜２２の炭化水素基であり、好ましくは炭素数１２〜２０、より好ましくは１２〜１８のアルキル基又はアルケニル基であり、ｍは３〜１００、好ましくは３〜６０、より好ましくは１０〜６０の数であり、ｎは１〜１０、好ましくは１〜９、より好ましくは１〜８の数であり、ｍ／ｎは好ましくは３〜１２、より好ましくは４〜１０であり、Ｙは、より好ましくは−Ｏ−又は−ＣＯＯ−であり、更に好ましくは−Ｏ−であり、（ＰＯ）と（ＥＯ）はブロック付加が好ましく、中でも下記一般式（ｂ１−１）で表される化合物がより好ましい。
Ｒ5Ｏ−（ＰＯ）m−（ＥＯ）n−Ｈ      （ｂ１−１）
【００４３】
（ｂ２）成分の一般式（ｂ２）において、ｐは１０〜１００、好ましくは１５〜８０、より好ましくは２０〜７０の数であり、ｑは０〜３０、好ましくは０〜２５、より好ましくは０〜２０の数であり、ｐ／ｑは好ましくは３以上、より好ましくは４以上であり、（ＰＯ）と（ＥＯ）は、ブロック付加が好ましく、中でも下記一般式（ｂ２−１）又は（ｂ２−２）で表される化合物がより好ましい。
ＨＯ−（ＰＯ）p−（ＥＯ）q−Ｈ                （ｂ２−１）
ＨＯ−（ＥＯ）r−（ＰＯ）p−（ＥＯ）s−Ｈ    （ｂ２−２）
〔式中、ｒ＋ｓ＝ｑである。〕
【００４４】
（ｂ３）成分の一般式（ｂ３）において、ｘは１０〜４０、好ましくは１５〜３５、より好ましくは１５〜３０の数であり、ｙは１〜１０、好ましくは１〜８、より好ましくは１〜５の数であり、（Ｃ3Ｈ6Ｏ）及び（Ｃ2Ｈ4Ｏ）は、ブロック付加が好ましく、中でも下記一般式（ｂ３−１）で表される化合物がより好ましい。
【００４５】
【化５】
0004813212.tif 000004
【００４６】
（ｂ４）成分としては、分子量１００〜５００、好ましくは１００〜４００の飽和又は不飽和の直鎖もしくは分岐鎖を有する脂肪酸が好ましく、具体的には、炭素数６〜２０の脂肪酸が挙げられ、ヘキサン酸、オクタン酸、オクチル酸、デカン酸、ラウリン酸、オレイン酸が好ましい。
【００４７】
（ｂ５）成分としては、炭素数８〜２４、好ましくは８〜２２、より好ましくは８〜２０の飽和又は不飽和の直鎖又は分岐鎖を有する脂肪酸のトリ、ジ及びモノグリセライドが好ましく、具体的には、トリ、ジ又はモノオクタン酸グリセリン、トリ、ジ又はモノデカン酸グリセリン、トリ、ジ又はモノオレイン酸グリセリンが好ましい。
【００４８】
（ｂ６）成分としては、一般式（ｂ６）において、Ｒ6は炭素数８〜２０の飽和又は不飽和の直鎖もしくは分岐鎖のアルキル基又はアルケニル基、Ｒ7は炭素数１〜２０の飽和又は不飽和の直鎖もしくは分岐鎖のアルキル基であるエステル化合物が好ましく、オクタン酸エチル、オクタン酸イソプロピル、オクタン酸ブチル、オクタン酸ヘキシル、オクタン酸オクチル、オクタン酸デシル、オクタン酸ドデシル、オクタン酸セチル、ミリスチン酸イソプロピル、ミリスチン酸ブチル、ミリスチン酸ヘキシル、ミリスチン酸オクチル、ミリスチン酸ドデシル、パルミチン酸イソプロピル、パルミチン酸ブチル、パルミチン酸ヘキシル、パルミチン酸オクチル、オレイン酸エチル、オレイン酸イソプロピル、オレイン酸ブチル、オレイン酸ヘキシル、オレイン酸オクチル、オレイン酸ドデシルが好ましい。
【００４９】
（ｂ７）成分の一般式（ｂ７）において、Ｒ8及びＲ9はそれぞれ独立に炭素数４〜１０の飽和又は不飽和の直鎖もしくは分岐鎖のアルキル基であるエーテル化合物が好ましい。
【００５０】
（ｂ８）成分としては、分子量１００〜５００、好ましくは１５０〜５００、より好ましくは２００〜５００の飽和又は不飽和の直鎖もしくは分岐鎖炭化水素が好ましく、具体的には、ドデカン、ヘキサデカン、ノナデカン、スクワラン、スクワレン、又は石油から分離精製されるパラフィン系化合物を主成分とする留分、平均分子量が２００〜４００の流動パラフィンなどのパラフィン系オイルが好ましい。
【００５１】
（ｂ９）成分としては、平均分子量１００〜３００の直鎖もしくは分岐鎖の１価アルコールが好ましく、１−オクタノール、１−ノナノール、１−デカノール、１−ドデカノール、イソステアリルアルコール、２−オクチルドデカノールが好ましい。
【００５２】
（ｂ）成分としては、しわ除去性能の点から、（ｂ１）〜（ｂ８）が好ましく、（ｂ１）〜（ｂ７）がより好ましい。
【００５３】
＜（ｃ）成分＞
本発明の（ｃ）成分である界面活性剤は、（ｂ）成分の溶液安定性を確保し、且つ（ａ）成分の新油性悪臭成分への接触性を高める上で重要である。ここで、本発明でいう界面活性剤と（ｂ）成分は、類似した構造を有する場合もあるが、（ｂ）成分は水に不溶の物質であり、（ｃ）成分は水と油の双方に可溶な物質である点で異なる。従って、本発明では、２０℃の水に対する溶解度が１質量％以下の化合物を（ｂ）成分とし、これを超えて水に溶解する物質を（ｃ）成分として定義する。
【００５４】
界面活性剤としては、特に制限はなく、非イオン性界面活性剤、陽イオン性界面活性剤、陰イオン性界面活性剤、及び両性界面活性剤の中から選ばれる１種種以上が挙げられる。これらの中では、非イオン性界面活性剤が好ましく、下記一般式（ｃ１）で表される化合物が、消臭性能及びしわ除去性能の点から、特に好ましい。
【００５５】
Ｒ10−Ｚ−［（ＥＯ）a／（ＰＯ）b］−Ｒ11        （ｃ１）
〔式（ｃ１）中、Ｒ10は、炭素数１０〜２２のアルキル基又はアルケニル基であり、Ｒ11は、水素原子、又は炭素数１〜３のアルキル基であり、Ｚは−Ｏ−又は−ＣＯＯ−のいずれかであり、ＥＯは、オキシエチレン基であり、ＰＯはオキシプロピレン基であり、（ＥＯ）と（ＰＯ）はランダム付加でもブロック付加でもいずれでもよく、（ＥＯ）と（ＰＯ）の付加順序は問わない。ａ及びｂは平均付加モル数であり、ａ＋ｂの合計は５〜１５の数であり、ｂは２以下の数である。〕
【００５６】
消臭性能向上の観点から、一般式（ｃ１）で表される化合物のＲ10は、好ましくは炭素数１０〜１８、より好ましくは炭素数１０〜１６、更に好ましくは炭素数１０〜１４のアルキル基又はアルケニル基であり、Ｒ11は、好ましくは水素原子、又は炭素数１〜２のアルキル基、より好ましくは水素原子又はメチル基、更に好ましくは水素原子である。
【００５７】
また、一般式（ｃ１）のａは、好ましくは５〜１４の数、より好ましくは５〜１３、更に好ましくは５〜１２であり、ｂは好ましくは０である。一般式（ｃ１）で表される化合物としては、ポリオキシエチレン（ｎ＝６〜１２）ラウリルエーテル、ポリオキシエチレン（ｎ＝５〜１２）モノアルキル（炭素数１２〜１４の２級の炭化水素基）エーテル、ラウリン酸ポリオキシチレン（ｎ＝６〜１３）メチルエーテルから選ばれる１種以上が特に好ましい。ここで、ｎはオキシエチレン基の平均付加モル数である。
【００５８】
＜しわ取り消臭剤組成物＞
本発明では、（ａ）成分、（ｂ）成分及び（ｃ）成分を組み合わせることにより、汗臭及びアルデヒド類等に由来する複合臭に対する消臭性能が更に高まり、同時に繊維製品のしわを低減することができるしわ取り消臭剤組成物が得られる。
【００５９】
すなわち、通常、臭気成分はスーツ、セーター等の衣料、カーテン、ソファー等の繊維製品等の固体表面に付着するが、（ｂ）成分及び（ｃ）成分は、固体表面に付着した臭気成分の揮発を抑制するばかりでなく、消臭成分である（ａ）成分を安定に分散させ、繊維製品等に対する接触性を向上させて、消臭性能を更に高めることができる。
【００６０】
本発明のしわ取り消臭剤組成物中の（ａ）成分、（ｂ）成分、（ｃ）成分の含有量は、消臭する悪臭の濃度、使用形態、繊維製品の種類、しわの程度によって適宜調整することができる。
【００６１】
（ａ）成分の組成物中の含有量は、通常０．０２質量％以上、好ましくは０．０２〜１０質量％、より好ましくは０．０２〜８質量％、更に好ましくは０．０２〜５質量％、更に好ましくは０．０２〜３質量％、更に好ましくは０．０２〜２質量％、特に好ましくは０．０２〜１質量％である。
【００６２】
（ｂ）成分の組成物中の含有量は、通常０．０１質量％以上、好ましくは０．０１〜１０質量％、より好ましくは０．０１〜８質量％、更に好ましくは０．０１〜５質量％、更に好ましくは０．０２〜３質量％、更に好ましくは０．０２〜２質量％、特に好ましくは０．０２〜１質量％である。
【００６３】
（ｃ）成分の組成物中の含有量は、通常０．０１質量％以上、好ましくは０．０１〜１０質量％、より好ましくは０．０１〜８質量％、更に好ましくは０．０１〜５質量％、更に好ましくは０．０２〜３質量％、更に好ましくは０．０２〜２質量％、特に好ましくは０．０２〜１質量％である。
【００６４】
（ａ）成分の効果を更に高めるうえで（ａ）成分、（ｂ）成分及び（ｃ）成分の配合比率は、（ａ）／（ｂ）の質量比で、好ましくは１０／１〜１／１０、より好ましくは８／１〜１／８、更に好ましくは５／１〜１／５、更に好ましくは３／１〜１／５、特に好ましくは１／１〜１／５であり、（ａ）／（ｃ）の質量比で、好ましくは１０／１〜１／１０、より好ましくは８／１〜１／８、更に好ましくは５／１〜１／５、更に好ましくは４／１〜１／４、特に好ましくは３／１〜１／３であり、（ａ）／［（ｂ）＋（ｃ）］の質量比で、好ましくは１０／１〜１／１０、より好ましくは８／１〜１／８、更に好ましくは５／１〜１／５、更に好ましくは３／１〜１／５、特に好ましくは１／１〜１／５である。
【００６５】
本発明のしわ取り消臭剤組成物において、（ａ）成分、（ｂ）成分、（ｃ）成分等以外の残部は水とすることができる。また必要に応じて、本発明の効果を損なわない範囲で、更に、多価アルコール、他の消臭剤、及び一般に添加される各種の溶剤、ゲル化剤、硫酸ナトリウムやＮ，Ｎ，Ｎ−トリメチルグリシン等の塩、ｐＨ調整剤、酸化防止剤、防腐剤、殺菌・抗菌剤、香料、色素、紫外線吸収剤等の他の成分を添加することができる。
【００６６】
溶剤としては、水、エタノール、イソプロパノール等の低級（炭素数３〜４）アルコール類、エチレングリコール、プロピレングリコール、グリセリン、ソルビトール等の多価アルコール類（炭素数２〜１２）、エチレングリコールやプロピレングリコールのモノエチル又はモノブチルエーテル、ジエチレングリコールやジプロピレングリコールのモノエチル又はモノブチルエーテル、ベンジルアルコール、ベンジルオキシエタノール、フェノール性化合物のエチレンオキシド又はプロピレンオキシド付加物等が挙げられる。
【００６７】
本発明のしわ取り消臭剤組成物の２５℃におけるｐＨは６〜９．５に調整することが好ましい。ｐＨ６以上で汗臭やアルデヒド類に対する効果が優れ、またｐＨ９．５以下でアミン類等に対する効果が優れる。
【００６８】
なかでも、汗臭及びアルデヒド類等に由来する複合臭の全てに対する効果、及び皮膚刺激低減の観点から、本発明のしわ取り消臭剤組成物の２５℃におけるｐＨは６．５〜９．５が好ましく、６．８〜９が更に好ましい。
【００６９】
本発明のしわ取り消臭剤組成物のｐＨは、塩酸等の酸、又は水酸化ナトリウム等のアルカリを添加することにより調整することができる。
【００７０】
本発明のしわ取り消臭剤組成物の使用形態は、液状、ゲル状、粉状、粒状等の固体状とすることができる。液状の場合には、特にスプレー、ローション等として繊維製品に用いることができる。本発明のしわ取り消臭剤組成物は、特に液状、更に水系組成物としてミストタイプのスプレー容器に充填し、一回の噴霧量を０．１〜１ｍｌに調整したものが好ましい。使用するスプレー容器としては、トリガースプレー容器（直圧あるいは蓄圧型）やディスペンサータイプのポンプスプレー容器等の公知のスプレー容器を用いることができる。すなわち、本発明では、本発明のしわ取り消臭剤組成物、特に液状のしわ取り消臭剤組成物をスプレー容器に充填してなるスプレー式しわ取り消臭剤を得ることができる。本発明の組成物は、噴霧により繊維製品に付着させて、対象物の臭い及びしわを低減させることが好ましく、前記スプレー式しわ取り消臭剤はこの方法に好適に用いられる。繊維製品としては、スーツ、セーター等の衣類、カーテン、ソファー等が挙げられる。
【実施例】
【００７１】
実施例１〜１６及び比較例１〜１３
＜しわ取り消臭剤組成物の調製＞
表１〜表４に示す配合処方のしわ取り消臭剤組成物を調製した。なお、抗菌剤としてはプロキセルＢＤＮ（アビシア株式会社製、１０％水溶液）を使用し、得られた組成物は、１規定の塩酸又は１／１０規定の水酸化ナトリウム水溶液でｐＨ８（２５℃）に調整した。表１〜表４中の記号の成分は下記のとおりである。
【００７２】
（ａ）成分
・ａ−１：トリス（ヒドロキシメチル）アミノメタン
・ａ−２：２−アミノ−２−メチル−１，３−プロパンジオール
・ａ−３：２−アミノ−１，３−プロパンジオール
【００７３】
（ｂ）成分（便宜的に（ｂ）成分以外の成分も例示する）
・ｂ−１：一般式（ｂ１−１）中のＲ5が炭素数１８の直鎖アルキル基、ｍが３８、ｎが６の数であり、化合物
・ｂ−２：一般式（ｂ１−１）中のＲ5が炭素数１６の直鎖アルキル基、ｍが１５、ｎが３の数である化合物
・ｂ−３：一般式（ｂ１−１）中のＲ5が炭素数１２の直鎖アルキル基、ｍが２５、ｎが５の数である化合物
・ｂ−４：一般式（ｂ２）中のｐが３０、ｑが５の数である化合物
・ｂ−５：一般式（ｂ２）中のｐが３５、ｑが０の数である化合物
上記ｂ−１〜ｂ−５は、何れも、水（２０℃）に対する溶解度が１質量％以下であり、２０℃での蒸気圧が１００ｍｍＨｇ以上であり、且つ融点が５０℃以下ある。
・ｂ−６：オレイン酸（２０℃での蒸気圧＝２４０ｍｍＨｇ、融点＝約１１℃）
・ｂ−７：ラウリン酸（２０℃での蒸気圧＝１８６ｍｍＨｇ、融点＝４５℃）
・ｂ−８：トリオレイン酸グリセリン（２０℃での蒸気圧＝１００ｍｍＨｇ以上、融点＝５℃以下）
・ｂ−９：オレイン酸ブチル（２０℃での蒸気圧＝１００ｍｍＨｇ以上、融点＝−１０℃以下）
・ｂ−１０：流動パラフィン（モレスコホワイトＰ−５５、松村石油（株）製、平均分子量２９６、２０℃での蒸気圧＝１００ｍｍＨｇ以上、融点＝５０℃以下）
・ｂ−１１：スクワラン（２０℃での蒸気圧＝１００ｍｍＨｇ以上、融点＝５０℃以下）
・ｂ−１２：ｎ−ヘキサデカン（２０℃での蒸気圧＝１００ｍｍＨｇ以上、融点＝１８℃）
・ｂ−１３：ｎ−ドデカン（２０℃での蒸気圧＝１０６ｍｍＨｇ、融点＝−８℃以下）
・ｂ−１４：２−オクチルドデカノール（２０℃での蒸気圧＝１００ｍｍＨｇ以上、融点＝５０℃以下）
・ｂ−１５：１−ドデカノール（２０℃での蒸気圧＝１４８ｍｍＨｇ、融点＝２４℃）
・ｂ−１６：イソステアリルアルコール（２０℃での蒸気圧＝１００ｍｍＨｇ以上、融点＝−３０℃）
上記ｂ−６〜ｂ−１６は、何れも、水（２０℃）に対する溶解度が１質量％以下である。
【００７４】
・ｂ’−１：一般式（ｂ１−１）中のＲ5が炭素数１２の直鎖アルキル基、ｍが０、ｎが５０の数である化合物（水（２０℃）に対する溶解度＝１質量％超）
・ｂ’−２：一般式（ｂ２）中のｐが５、ｑが０の数である化合物（水（２０℃）に対する溶解度＝１質量％超、２０℃での蒸気圧＝１００ｍｍＨｇ以上、融点＝５０℃以下）
・ｂ’−３：ステアリン酸（水（２０℃）に対する溶解度＝１質量％以下、２０℃での蒸気圧＝２４５ｍｍＨｇ、融点＝５４〜５７℃）
・ｂ’−４：酪酸（水（２０℃）に対する溶解度＝１質量％超、２０℃での蒸気圧＝７４ｍｍＨｇ、融点＝−８℃）
・ｂ’−５：カプロン酸エチル（水（２０℃）に対する溶解度＝１質量％以下、２０℃での蒸気圧＝１００ｍｍＨｇ未満、融点＝５０℃以下）
・ｂ’−６：ｎ−デカン（水（２０℃）に対する溶解度＝１質量％以下、２０℃での蒸気圧＝７２ｍｍＨｇ、融点＝−３０℃）
・ｂ’−７：ｎ−ヘキサン（水（２０℃）に対する溶解度＝１質量％以下、２０℃での蒸気圧＝−１４ｍｍＨｇ、融点＝−９５℃）
・ｂ’−８：コレステロール（水（２０℃）に対する溶解度＝１質量％以下、２０℃での蒸気圧＝１００ｍｍＨｇ以上、融点＝１４８℃）
・ｂ’−９：ステアリルアルコール（水（２０℃）に対する溶解度＝１質量％以下、２０℃での蒸気圧＝１００ｍｍＨｇ以上、融点＝６０．０℃）
・ｂ’−１０：１−ヘキサノール（水（２０℃）に対する溶解度＝１質量％以下、２０℃での蒸気圧＝７１ｍｍＨｇ、融点＝５０℃以下）
【００７５】
（ｃ）成分
・ｃ−１：ポリオキシエチレン（平均付加モル数＝８）ラウリルエーテル
・ｃ−２：ポリオキシエチレン（平均付加モル数＝９）モノアルキル（ｓｅｃ炭素数１２〜１４）エーテル
【００７６】
＜消臭効果の評価＞
（１）消臭対象物の調製
木綿メリアス布（１０ｃｍ×１０ｃｍ）に、臭気成分として、イソ吉草酸（汗臭モデル）の１０ｐｐｍエタノール溶液、又はノナナール（アルデヒド臭モデル）の１％エタノール溶液をスプレーバイアル（株式会社マルエム、Ｎｏ．６）を用いて１回スプレーし、３０分間乾燥させた後、試験片とした。
【００７７】
（２）消臭方法
上記方法にて得た試験片に、表に示す配合処方のしわ取り消臭剤組成物をスプレーバイアル（株式会社マルエム、Ｎｏ．６）を用いて６回スプレーし、２５℃／５０％ＲＨの恒温室にて１時間乾燥させた。
【００７８】
（３）消臭性能評価
３０歳代の男性５人及び女性５人の計１０人のパネラーに、乾燥後の試験片の臭いを嗅いでもらい、下記の６段階の臭気強度表示法で評価し、その平均値を求め、表に示した。
０：無臭
１：何の臭いか分からないが、ややかすかに何かを感じる強さ（検知閾値のレベル）
２：何の臭いか分かる、容易に感じる弱い臭い（認知閾値のレベル）
３：明らかに感じる臭い
４：強い臭い
５：耐えられないほど強い臭い
評価は平均値２未満が好ましい。結果を表１〜４に示す。
【００７９】
＜しわ取り効果の評価＞
（１）しわつけ方法
ウール生地（ウールサージ、（株）谷頭商店）からなる試験布２０ｃｍ×１０ｃｍにイオン交換水をスプレー噴霧して湿潤させた後、試験布を２つ折りにして、４０℃に設定した恒温室内で折り目部分に２ｋｇの重りをのせ、２４時間放置することによって、これをしわ取り評価のモデルじわとした。
【００８０】
（２）しわ取り方法
上記方法にて作成したモデルじわのついた試験布に対し、表に示すしわ取り消臭剤組成物をスプレー容器（キャニオン製、Ｔ−７５００）を用いて試験布乾燥時質量に対して５０質量％噴霧した後、２５℃／５０％ＲＨの恒温室に１２時間放置し、自然乾燥させた。乾燥終了後、試験布のしわの取れ具合を判定した。
【００８１】
（３）しわ除去性能評価
判定は、しわ取り消臭剤組成物をスプレー処理した布と、処理前の布（対照）とを、熟練した５人のパネラーに下記の基準で採点してもらい、平均点を求め、表に示した。評価は平均点３未満が好ましい。
１：全くしわがない
２：ほとんどしわがない
３：僅かにしわが残っている
４：相当しわが残っている
５：著しくしわが残っている
【００８２】
【表１】
0004813212.tif 000005
【００８３】
表１の比較例１〜２では、（ｂ）成分の代替として用いた化合物の水（２０℃）に対する溶解度が高いため、比較例１の組成物はしわ除去性能が不十分であり、比較例２の組成物は消臭性能及びしわ除去性能が不十分であるのに対し、実施例１〜５のしわ取り消臭剤組成物は、消臭性能及びしわ除去性能のいずれに対しても効果が高いことが分かる。
【００８４】
【表２】
0004813212.tif 000006
【００８５】
表２から、比較例３の組成物は、（ｂ）成分の代替として用いた化合物の融点が高いため、比較例４の組成物は、（ｂ）成分の代替として用いた化合物の水（２０℃）に対する溶解度が高く蒸気圧が低いため、また、比較例５の組成物は、（ｂ）成分の代替として用いた化合物のの蒸気圧が低いため、消臭性能及びしわ除去性能が不十分であるのに対し、実施例６〜９のしわ取り消臭剤組成物は、消臭性能及びしわ除去性能のいずれに対しても効果が高いことが分かる。
【００８６】
【表３】
0004813212.tif 000007
【００８７】
表３の比較例６〜７では、（ｂ）成分の代替として用いた化合物の蒸気圧が低いため、比較例６の組成物はしわ除去性能が不十分であり、比較例７の組成物は消臭性能及びしわ除去性能が不十分であり、比較例８の組成物は（ｂ）成分の融点が高いため、消臭性能及びしわ除去性能が不十分であるのに対し、実施例１０〜１３のしわ取り消臭剤組成物は、消臭性能及びしわ除去性能のいずれに対しても効果が高いことが分かる。
【００８８】
【表４】
0004813212.tif 000008
【００８９】
表４の比較例９の組成物は、（ｂ）成分の代替として用いた化合物の融点が高いため、しわ除去性能が不十分であり、比較例１０の組成物は、（ｂ）成分の代替として用いた化合物の蒸気圧が低いため、消臭性能及びしわ除去性能が不十分である。また、比較例１２の組成物は消臭性能が不十分であり、比較例１３〜１４の組成物は消臭性能及びしわ除去性能が不十分であるのに対し、実施例１４〜１６のしわ取り消臭剤組成物は、消臭性能及びしわ除去性能のいずれに対しても効果が高いことが分かる。
【００９０】
実施例１７
実施例１で得られたしわ取り消臭剤組成物に、香料０．０１％（対組成物、質量比）を配合し、しわ取り消臭剤組成物を調製した。なお、香料としては、ケイ皮酸エチル５質量部、酢酸リナリル１０質量部、リラール部１５質量部、ヘキシルシンナミックアルデヒド１０質量部、パーライド１０質量部、フェニルエチルアルデヒド２０質量部、セダーアルコール１０質量部、及びリモネン２０質量部からなる調合香料を使用した。
【００９１】
実施例１等の方法にて消臭性能評価を行った結果、実施例１７のしわ取り消臭剤組成物は、汗臭及びアルデヒド臭のいずれに対しても消臭性能が高く、且つ配合した香料の香調は維持されていた。